(57)【特許請求の範囲】
【請求項１】
蹴込み引き出しの引き出し本体と前板とを連結する蹴込み引き出し用連結部材であって、
前記前板が取り付けられる前方の上側垂直部と、
前記引き出し本体が取り付けられる後方の下側垂直部と、
前記上側垂直部の下部と前記下側垂直部の上部とを連結する水平部とを有し、
前記水平部と前記下側垂直部とで引き出しの蹴込み部位を形成するようになっており、
前記水平部は、上下に壁面を有する二重壁構造とされていると共に、前記下側垂直部は、前後に壁面を有する二重壁構造とされており、
前記下側垂直部の前面の上下には、前記水平部の下側壁面の後端が凹設されることによって形成された下側が開放された溝部及び上側が開放された溝部が互いに対向して設けられており、
前記下側垂直部の前面には、その上下に設けられた前記溝部に上縁部及び下縁部がそれぞれ保持されることによって、面材が取り付けられていることを特徴とする蹴込み引き出し用連結部材。
【請求項２】
左右の端面には、前記水平部及び前記下側垂直部の端面を覆うＬ字状の側面部と、前記側面部における縦長部分の前縁から前記下側垂直部の前面に沿って延設された短冊状の前面片とを有するサイドカバーが取り付けられている請求項１に記載の蹴込み引き出し用連結部材。
【請求項３】
引き出し本体と前板とを有し、キッチンキャビネットの蹴込みに設けられる蹴込み引き出しであって、
前記引き出し本体と前記前板とが請求項１または２に記載の蹴込み引き出し用連結部材を用いて連結されていることを特徴とする蹴込み引き出し。
【発明の詳細な説明】
【技術分野】
【０００１】
本発明は、引き出し本体と前板とを連結する蹴込み引き出し用連結部材及びそれを用いた蹴込み引き出しに関し、台所用家具の技術分野に属する。
【背景技術】
【０００２】
一般に、キッチンキャビネットのようにフロアに設置される台所用家具の最下部は、蹴込みと称して後方へ引き込んだ形状とされており、この蹴込みに引き出しを設けてスペースの有効活用を図ることがある。例えば特許文献１には、図７に示すように、ステンレス鋼板をプレス曲げ加工してなる第１部材Ａと、アルミニウムを押出加工してなる第２及び第３部材Ｂ，Ｃとを組み付けた収納ポケットＰを有する前板本体に、図示しない引き出し本体が連結された構成の蹴込み引き出しが開示されている。その場合、第１部材Ａは、上下の垂直部Ａ１，Ａ２とこれらを連結する水平部Ａ３とを有し、さらに、上側垂直部Ａ１の上部は取っ手部Ａ４とされている。
【０００３】
【特許文献１】特開２００１−２１８６４２号公報
【発明の開示】
【発明が解決しようとする課題】
【０００４】
ところで、前記特許文献１に記載の第１部材Ａは、ステンレス鋼板を折り曲げただけの構造であるため、厚みの薄い水平部Ａ３の剛性が低く、矢印ｘで示す重量負荷に弱い。すなわち、矢印ｘ方向に重量負荷があった場合、水平部Ａ３は、傾向として第２及び第３部材Ｂ，Ｃ側を支点として下方に撓み、その結果、取っ手部Ａ４と直上方の引き出しＤの下端との間の隙間が拡大するという不具合が生じることがある。
【０００５】
そこで、本発明は、蹴込み引き出しの前部の剛性を高くすることができる蹴込み引き出し用連結部材及びそれを用いた蹴込み引き出しの提供を課題とする。
【課題を解決するための手段】
【０００６】
前記課題を解決するため、本発明は次のように構成したことを特徴とする。
【０００７】
上記の課題を解決するため、請求項１に係る発明は、蹴込み引き出しの引き出し本体と前板とを連結する蹴込み引き出し用連結部材であって、前記前板が取り付けられる前方の上側垂直部と、前記引き出し本体が取り付けられる後方の下側垂直部と、前記上側垂直部の下部と前記下側垂直部の上部とを連結する水平部とを有し、前記水平部と前記下側垂直部とで引き出しの蹴込み部位を形成するようになっており、前記水平部は、上下に壁面を有する二重壁構造とされていると共に、前記下側垂直部は、前後に壁面を有する二重壁構造とされており、前記下側垂直部の前面の上下には、前記水平部の下側壁面の後端が凹設されることによって形成された下側が開放された溝部及び上側が開放された溝部が互いに対向して設けられており、前記下側垂直部の前面には、その上下に設けられた前記溝部に上縁部及び下縁部がそれぞれ保持されることによって、面材が取り付けられていることを特徴とする蹴込み引き出し用連結部材を提供するものである。
【０００８】
また、請求項２に係る発明は、請求項１に係る発明の蹴込み引き出し用連結部材において、左右の端面には、前記水平部及び前記下側垂直部の端面を覆うＬ字状の側面部と、前記側面部における縦長部分の前縁から前記下側垂直部の前面に沿って延設された短冊状の前面片とを有するサイドカバーが取り付けられていることを特徴としている。
【００１０】
また、請求項３に係る発明は、引き出し本体と前板とを有し、キッチンキャビネットの蹴込みに設けられる蹴込み引き出しであって、前記引き出し本体と前記前板とが請求項１または２に記載の蹴込み引き出し用連結部材を用いて連結されていることを特徴としている。
【発明の効果】
【００１２】
以上のように、請求項１に係る発明は、上側垂直部と下側垂直部と水平部とでなる蹴込み引き出し用連結部材において、水平部を上下に壁面を有する二重壁構造としたので、水平部に剛性を付与させることができる。したがって、蹴込み引き出しの前部の剛性を高くすることができる。
【００１３】
また、請求項１に係る発明は、連結部材の下側垂直部を前後の壁面を有する二重壁構造としたので、下側垂直部に剛性を付与させることができると共に、軽量化を維持しつつ厚みを確保することができるようになる。したがって、蹴込み引き出しにおける前後方向の寸法を変更せずに、この下側垂直部に従来の下側前板を代用させることが可能となり、また、構造の簡素化を図ることができる。また、請求項１に係る発明は、下側垂直部の前面の上下に、互いに対向する溝部を設けたので、この前面を覆う面材は、その上縁部及び下縁部を保持する前記両溝部によって前記前面に確実に保持されるようになる。
【００１４】
また、請求項２に係る発明の蹴込み引き出し用連結部材は、面材を含めた左右の端面を覆うサイドカバーが取り付けられているので、側方からの美感を良好に維持することができる。
【００１５】
また、請求項３に係る発明の蹴込み引き出しは、引き出し本体と前板とが請求項１または２に係る発明の蹴込み引き出し用連結部材を用いて連結されているので、請求項１または２に係る発明により得られた作用と同様の作用が得られる。
【発明を実施するための最良の形態】
【００１６】
以下、本発明の実施の形態について説明する。
【００１７】
本発明は、図１に示すキッチンキャビネット１に適用されている。このキッチンキャビネット１は、フロアＦに設置されるベースキャビネット２上部にワークトップ３が載置された構成とされている。そして、ベースキャビネット２の最下部に蹴込みＫが設けられており、この蹴込みＫに、蹴込み引き出し（以下、単に引き出しという）４が、二点鎖線で示すように引き出し自在に備えられている。
【００１８】
図２に示すように、引き出し４は、前方の前板１０と、後方の引き出し本体２０と、これらを連結する連結部材３０とを有している。また、引き出し本体２０は、左右の側板２１，２１と、両側板２１，２１を下部で連結する底板（図示せず）と、同じく後部で連結する背板（図示せず）とを有し、収納スペースが形成されている。また、連結部材３０の下部前面には、蹴込み面材（以下、単に面材という）４０が取り付けられており、左右の端面には、サイドカバー５０，５０が取り付けられている。そして、この引き出し４は、図示しないガイド機構を介して引き出し自在とされている。
【００１９】
図２及び図３に示す連結部材３０は、左右に延びるアルミニウム製の押出成形品であり、前板１０が取り付けられる前方の上側垂直部３１と、引き出し本体２０が取り付けられる後方の下側垂直部３２と、上側垂直部３１の下部と下側垂直部３２の上部とを連結する水平部３３とを有し、側面視で略Ｚ字状に形成されている。その場合、水平部３３と下側垂直部３２とで蹴込みＫが形成されている。
【００２０】
まず、上側垂直部３１は、正面視で凸字板状に形成されており、前板１０を取り付けるための複数のビス孔３１ａ…３１ａが設けられている。なお、この上側垂直部３１の形状は凸字状に限定されず、矩形状であってもよい。
【００２１】
次に、水平部３３は、上下に壁面３３ａ，３３ｂを有し、内部空間３３ｃを含む二重壁構造とされている。また、上側壁面３３ａの左右両側には、サイドカバー５０を取り付けるための各前後一対の貫通孔（図２及び図３に右側の一対のみ示す）３３ｄ，３３ｄが設けられている。
【００２２】
次に、下側垂直部３２は、前後に壁面３２ａ，３２ｂを有すると共にこれらの壁面３２ａ，３２ｂを上下方向の中央近傍で結合する仕切壁３２ｃを有し、上下二つの内部空間３２ｄ，３２ｅを含む二重壁構造とされている。また、後側壁面３２ｂの左右両側には、引き出し本体２０を取り付けるための各上下一対のビス孔（図３に右側の一対のみ示す）３２ｆ，３２ｆが設けられており、同じく左右両側の下端近傍には、サイドカバー５０を取り付けるための貫通孔（図２及び図３に右側のみ示す）３２ｇが設けられている。なお、後側壁面３２ｂにおけるビス孔３２ｆ，３２ｆが設けられた箇所は、若干厚肉とされている。
【００２３】
そして、下側垂直部３２の前面上下に、下側が開放された溝部３３ｅと上側が開放された溝部３２ｈとが互いに対向して設けられており、各溝部３３ｅ，３２ｈに上下各縁部が保持されて、下側垂直部３２の前面を覆う前記面材４０が保持されている。その場合、前記上側溝部３３ｅは、水平部３３の下側壁面３３ｂの後端が凹設されて形成されており、前記下側溝部３２ｈは、下側垂直部３２の前側壁面３２ａの下端がＬ字状に延設されて形成されている。なお、面材４０には、例えば合板の表面にステンレス鋼板が貼付された構成のものが用いられる。面材４０の取り付けは、一方の側方から上下の溝部３３ｅ，３２ｈ間に挿入すればよい。さらに、面材４０を、例えば両面粘着テープ等を用いて下側垂直部３２の前面に固定してもよい。
【００２４】
図４及び図５に示すサイドカバー５０は、側面視でＬ字状に形成されたポリプロピレン樹脂製であり、Ｌ字状の側面部５１と、側面部５１の上縁から連結部材３０の水平部３３の上面つまり上側壁面３３ａに沿って延設された上面片５２と、同じく縦長部分の前縁から連結部材３０の下側垂直部３２の前面つまり前側壁面３２ａひいては面材４０に沿って少し延設された短冊状の前面片５３と、同じく後縁下部から連結部材３０の下側垂直部３２の後面つまり後側壁面３２ｂに沿って延設された台形状の後面片５４と、同じく縦長部分の下縁から連結部材３０の下側垂直部３２の下端に沿って少し延設された底面片５５とを有している。
【００２５】
また、上面片５２の下面には、前後一対の円柱状のボス５２ａ，５２ａが突設されている。これらのボス５２ａ，５２ａは、連結部材３０の水平部３３の上側壁面３３ａに設けられた貫通孔３３ｄ，３３ｄに上方から嵌入するものである（図２及び図３も参照）。そして、後面片５４には、前方に向けて一つの円柱状のボス５４ａが突設されている。このボス５４ａは、連結部材３０の下側垂直部３２の後側壁面３２ｂに設けられた貫通孔３２ｇに後方から嵌入するものである（図２及び図３も参照）。
【００２６】
これにより、サイドカバー５０は、連結部材３０の端面に確実に取り付けられ、図２及び図３にも示すように、連結部材３０の端面に加えて面材４０の端面も覆うことになり、側方からの美観を良好に維持することができる。
【００２７】
そして、このサイドカバー５０を連結部材３０の端面に取り付けるときには、サイドカバー５０の上面片５２を連結部材４０の水平部３３に上方から近づけ、後面片５４を若干押し広げながら、上方のボス５２ａ，５２ａを貫通孔３３ｄ，３３ｄに、下方のボス５４ａを貫通孔３２ｇに嵌入させればよい。また、下方のボス５４ａの貫通孔３２ｇへの嵌入をスムーズにするため、このボス５４ａの頂部（図４及び図５においては、頂部の左側）を斜めに切り欠いてもよい。
【００２８】
なお、本実施の形態では、引き出し４を引き出した状態で床面Ｆとの間の間隔が極力狭くなるようにとの配慮から、図３を参照すると、連結部材３０と引き出し本体２０との取り付け関係は、引き出し４を収納した状態で、下側垂直部３２の下端と床面Ｆとの間の間隔は約２０ｍｍに設定されている。
【００２９】
以上のように構成したことにより、まず、上側垂直部３１と下側垂直部３２と水平部３３とでなる蹴込み引き出し用連結部材３０において、水平部３３を上下に壁面３３ａ，３３ｂを有する二重壁構造としたので、水平部３３に剛性を付与させることができる。したがって、蹴込み引き出し４の前部の剛性を高くすることができる。すなわち、本実施の形態のように、上側垂直部３１に取り付けた前板１０が重量物であっても、図３に矢印ｘで示す重量負荷に抗して堅固に支持されるようになる。
【００３０】
次に、連結部材３０の下側垂直部３２を前後の壁面３２ａ，３２ｂを有する二重壁構造としたことにより、下側垂直部３２に剛性を付与させることができると共に、軽量化を維持しつつ厚みを確保することができるようになる。したがって、蹴込み引き出しの前後方向の寸法を変更せずに、この下側垂直部３２に従来の下側前板を代用させることが可能となり、また、構造の簡素化を図ることができる。
【００３１】
また、下側垂直部３２の前面の上下に、互いに対向する溝部３３ｅ，３２ｈを設けたので、この前面を覆う面材４０は、その上縁部及び下縁部を保持する前記両溝部３３ｅ，３２ｈによって前記前面に確実に保持されるようになる。
【００３２】
そして、前記連結部材３０を用いて引き出し本体２０と前板１０とを連結したことにより、前述したような特徴を有する蹴込み引き出しが実現する。
【００３３】
次に、連結部材の変形例について説明する。
【００３４】
図６に示すように、この場合の連結部材３０′では、引き出し本体２０が取り付けられる下側垂直部３２′が中実体つまり厚肉板状であること以外は前記実施の形態で説明したと同じ構成であり、前板１０が取り付けられる板状の上側垂直部３１′と、上下の壁面３３ａ′，３３ｂ′と内部空間３３ｃ′とを有する二重壁構造の水平部３３′とを有している。また、下側垂直部３２′の前面に上下の溝部３３ｅ′，３２ｈ′が設けられており、これらの溝部３３ｅ′，３２ｈ′を介して面材４０が取り付けられている。
【００３５】
そして、この連結部材３０′の端面に前述したと同様のサイドカバー５０を取り付けるため、水平部３３′の上面つまり上側壁面３３ａ′には貫通孔３３ｄ′，３３ｄ′が、下側垂直部３２′の後面には孔３２ｇ′が設けられている。
【００３６】
これにより、この構成の場合にも、上側垂直部３１′に取り付けた前板１０が重量物であっても、矢印ｘで示す重量負荷に抗して堅固に支持されるようになる。また、下側垂直部３２′の厚みは、用途に応じて適宜加減される。
【００３７】
なお、本発明は、具体的に詳述した前記実施の形態に限定されず、本発明の趣旨に沿うものであればよい。
【００３８】
例えば、連結部材３０，３０′の水平部３３，３３′に、上下の壁面３３ａ，３３ｂ：３３ａ′，３３ｂ′を結合する仕切壁を設けてもよい。これにより、水平部３３，３３′の剛性を一層向上させることができる。
【００３９】
そして、前記実施の形態では、下側垂直部３２，３２′の前面に、面材４０を取り付けるための溝部３３ｅ，３２ｈ：３３ｅ′，３２ｈ′を設けたが、用途に応じてこれらの溝部３３ｅ，３２ｈ：３３ｅ′，３２ｈ′を省略してもよい。
【産業上の利用可能性】
【００４０】
以上説明したように、本発明によれば、蹴込み引き出しの前部の剛性を高くすることができる蹴込み引き出し用連結部材及びそれを用いた蹴込み引き出しが提供され、本発明は、台所用家具の技術分野に広く好適である。
【図面の簡単な説明】
【００４１】
【図１】本発明の実施の形態に係るキッチンキャビネットの斜視図である。
【図２】蹴込み引き出しの斜視図である。
【図３】連結部材の構成を示す図２のＩ−Ｉ線による断面図である。
【図４】サイドカバーの構成を示す斜視図である。
【図５】同じくサイドカバーの構成を示す図４のＩＩ方向からの矢視図である。
【図６】連結部材の変形例を示す断面図である。
【図７】従来の蹴込み引き出しの要部断面図である。
【符号の説明】
【００４２】
４        蹴込み引き出し
１０      前板
２０      引き出し本体
３０，３０′    連結部材
３１，３１′    上側垂直部
３２，３２′    下側垂直部
３２ａ，３２ａ′    前側壁面
３２ｂ，３２ｂ′    後側壁面
３２ｈ，３２ｈ′    下側溝部
３３，３３′    水平部
３３ａ，３３ａ′    上側壁面
３３ｂ，３３ｂ′    下側壁面
３３ｅ，３３ｅ′    上側溝部
４０      蹴込み面材（面材）
Ｋ        蹴込み
【図１】
0005112763.tif 000002
【図２】
0005112763.tif 000003
【図３】
0005112763.tif 000004
【図４】
0005112763.tif 000005
【図５】
0005112763.tif 000006
【図６】
0005112763.tif 000007
【図７】
0005112763.tif 000008